(57)【要約】【課題】洗浄水の噴射により食器等の洗浄を行う食器洗い機において、ステンレス鋼の清潔さを保ちつつ、複数個設けた食器かごの少なくとも最上段の食器かごの保持と、引き出し量の規制、外れ防止をより安価に構成する。【解決手段】前方を開口した洗浄槽１５の上部を樹脂製の上面構成部材１８により構成し、側面を金属製の洗浄槽部材１７により構成し、底部を樹脂製の底部構成部材１９により構成し、洗浄槽１５内に少なくとも上下２段に食器かごとを配する。食器かごの内、少なくとも上段食器かご２７を洗浄槽部材１７に一体的に形成した上段食器かご用段部２９によって支持し、洗浄槽１５内より引き出し可能とするとともに、上面構成部材１８には、上段食器かご２７の引き出し量を規制する第２の係止部３３を設ける。【選択図】  図１
2004305297.tif 000002
【特許請求の範囲】
【請求項１】
前方を開口した洗浄槽と、前記洗浄槽の上部を構成する樹脂製の上面構成部材と、前記洗浄槽の側面を構成する金属製の洗浄槽部材と、前記洗浄槽の底部を構成する樹脂製の底部構成部材と、前記洗浄槽内に少なくとも上下２段に配した食器かごとを備え、前記食器かごの内、少なくとも最上段の食器かごを前記洗浄槽部材に一体的に形成した段部によって支持し、洗浄槽内より引き出し可能とするとともに、前記上面構成部材には、前記最上段の食器かごの引き出し量を規制する係止部を設けた食器洗い機。
【請求項２】
上面構成部材に係止部を設け、この係止部に最上段の食器かごに設けた摺動支持部材が係止することで、最上段の食器かごの引き出し量を規制するようにした請求項１記載の食器洗い機。
【発明の詳細な説明】
【０００１】
【発明の属する技術分野】
本発明は、洗浄水の噴射により食器等の洗浄を行う食器洗い機に関する。
【０００２】
【従来の技術】
従来、この種の食器洗い機は、図４に示すように構成していた。以下、その構成について説明する。
【０００３】
図４に示すように、食器類１を収容する洗浄槽２は、樹脂製の底部構成部材３と、この底部構成部材３の上に設けた金属（ステンレス鋼板）製の洗浄槽部材４とで構成されている。洗浄槽２は、金属製の洗浄槽部材４の前方に開口部５を有し、この開口部５を扉６により開閉するとともに、樹脂製の底部構成部材３に洗浄水を噴射する洗浄ノズル７を回転自在に配設しており、洗浄槽２内に食器類１を収容する食器かご８を配置している。金属製の洗浄槽部材４はユーザーが製品使用時に目に付く側壁面を構成し、また、上面も同じ金属を使用し、溶接等で接合している。
【０００４】
また、洗浄槽２は、樹脂製の底部構成部材３の上方より、金属製の洗浄槽部材４を挿着し、上下の抜け方向に規制した結合構成としており、接合部９からの水漏れを底部構成部材３に設けた上方への立ち上がり部１０によって、底部構成部材３内へ回収する構成としている。
【０００５】
また、食器かご８は、側面に摺動用部材１１を設けており、図５に示すように、扉６の開放状態で扉６の内面に引き出し可能に構成している。また、扉６の内面に設けた係止部１２に、摺動用部材１１の先端が当接することによって前方への引き出し量を規制し、食器類１を満載した食器かご８を引き出した場合に、食器類１の重量によって食器洗い機本体１３が転倒するのを防ぎ、また、洗浄槽構成部材４にプレス加工により一体的に設けた食器かご８を支持する段部１４から食器かご８が外れるのを防止する構成としている（例えば、特許文献１参照）。
【０００６】
【特許文献１】
特開２０００−２９６０８７号公報（第３頁、図１）
【０００７】
【発明が解決しようとする課題】
このような従来の構成で、洗浄槽２の内部により多くの食器類１を収納可能にするため、食器かごを上下に２段以上配置した場合、最下段以外の食器かごを保持するために、洗浄槽部材４に別部品を用いて保持するか、洗浄槽部材４に一体的に複数の段部を設けて保持する方法がある。
【０００８】
しかし、別部品を用いる場合、部品コストおよびその部品の取り付けコストが増えるという問題を有していた。また、別部品を樹脂で構成した場合、ステンレス等の金属で構成された洗浄槽部材４を覆い隠してしまい、汚染、臭い等の付着の可能性があり、見た目に清潔感が劣るという問題を有していた。
【０００９】
また、洗浄槽部材４にプレス加工により一体的に上段用の段部を設ける場合、プレス加工の制限から洗浄槽２の中央部周辺は食器かごを支持するのに十分な段押し形状を形成することができるが、前方部と、後方部は不完全な段押し高さになる。また、単純な形状の段部しかできないため、上段の食器かごを洗浄槽２に自由に出し入れ可能とし、また上段の食器かごを上段用の用段部に配置し、機外に引き出すとき、容易に上段用の用段部から外れないように規制を設けなければならない。よって、前方規制をする部品が別に必要になるという問題がある。
【００１０】
本発明は上記課題を解決するもので、ステンレス鋼の清潔さを保ちつつ、複数個設けた食器かごの少なくとも最上段の食器かごの保持と、引き出し量の規制、外れ防止をより安価に構成することを目的としている。
【００１１】
【課題を解決するための手段】
本発明は上記目的を達成するために、前方を開口した洗浄槽の上部を樹脂製の上面構成部材により構成し、洗浄槽の側面を金属製の洗浄槽部材により構成し、洗浄槽の底部を樹脂製の底部構成部材により構成し、洗浄槽内に少なくとも上下２段に食器かごとを配し、食器かごの内、少なくとも最上段の食器かごを洗浄槽部材に一体的に形成した段部によって支持し、洗浄槽内より引き出し可能とするとともに、上面構成部材には、最上段の食器かごの引き出し量を規制する係止部を設けたものである。
【００１２】
これにより、ステンレス鋼の清潔さを保ちつつ、複数個設けた食器かごの少なくとも最上段の食器かごの保持と、引き出し量の規制、外れ防止をより安価に構成することができる。
【００１３】
【発明の実施の形態】
本発明の請求項１に記載の発明は、前方を開口した洗浄槽と、前記洗浄槽の上部を構成する樹脂製の上面構成部材と、前記洗浄槽の側面を構成する金属製の洗浄槽部材と、前記洗浄槽の底部を構成する樹脂製の底部構成部材と、前記洗浄槽内に少なくとも上下２段に配した食器かごとを備え、前記食器かごの内、少なくとも最上段の食器かごを前記洗浄槽部材に一体的に形成した段部によって支持し、洗浄槽内より引き出し可能とするとともに、前記上面構成部材には、前記最上段の食器かごの引き出し量を規制する係止部を設けたものであり、ステンレス鋼の清潔さを保ちつつ、複数個設けた食器かごの少なくとも最上段の食器かごの保持と、引き出し量の規制、外れ防止をより安価に構成することができる。
【００１４】
請求項２に記載の発明は、上記請求項１に記載の発明において、上面構成部材に係止部を設け、この係止部に最上段の食器かごに設けた摺動支持部材が係止することで、最上段の食器かごの引き出し量を規制するようにしたものであり、別部品を用いることなく、摺動支持部材と係支部の位置関係を合わせ易いため、引き出し量を容易に規制することができる。
【００１５】
【実施例】
以下、本発明の一実施例について、図面を参照しながら説明する。
【００１６】
図１に示すように、洗浄槽１５は、食器洗い機本体１６の内部に設け、側面を構成するステンレス鋼板などの金属製の洗浄槽部材１７と、洗浄槽部材１７の上部を構成する樹脂製の上面構成部材１８と、底部を構成する樹脂製の底部構成部材１９とで構成している。また、食器洗い機本体１６は、洗浄槽部材１７の上部を構成する樹脂製の上面構成部材１８を共用し、この上面構成部材１８と側面を構成する食器洗い機本体部材２０とで構成している。
【００１７】
また、上面構成部材１８の外周下面と底部構成部材１９の外周上面にはそれぞれ、洗浄槽部材１７が挿入される溝部を設け、洗浄槽部材１７、上面構成部材１８をそれぞれ底部構成部材１９の上方から順に挿着する構成としている。
【００１８】
この洗浄槽１５は、洗浄槽部材１７の前方に開口部２１を有し、上扉体２２と下扉体２３により開閉するとともに、樹脂製の底部構成部材１９に洗浄水を噴射する洗浄ノズル２４を回転自在に配設しており、洗浄槽１５内に食器類２５を収容する下段食器かご２６と上段食器かご（最上段の食器かご）２７を配置し、ステンレス製の洗浄槽部材１７に一体的に形成された下段食器かご用段部２８と、上段食器かご用段部（段部）２９により、所定の高さに収容するよう構成している。
【００１９】
また、下扉体２３は下端側を下軸３０で軸支し、開放状態で略水平をなし、下段食器かご２６を引き出し可能にするとともに、第１の係止部３１に下段食器かご２６の側面に設けた下段摺動支持部材３２の先端部を当接させることで、下段食器かご２６の引き出し量を規制している。
【００２０】
また、上面構成部材１８の下面前方には、第２の係止部（係止部）３３を一体に形成しており、上段食器かご２７の側面に設けた上段摺動支持部材３４の後方上部に設けたストッパー３５が、図２に示すように、第２の係止部３３に係止することにより上段食器かご２７の引き出し量を規制している。
【００２１】
また、洗浄槽部材１７に一体に形成した下段食器かご用段部２８と、上段食器かご用段部２９はプレス加工により形成し、洗浄槽１５の中心部周辺は深く絞れるため、下段摺動支持部材３２および上段摺動支持部材３４を支えるのに十分な高さの段形状を形成できるが、端部にいくに従い段形状の高さが徐々に低くなる不完全支持部を形成している。
【００２２】
また、下段食器かご用段部２８は、下段摺動支持部材３２の下面を下から支持する略水平面をなす段押し形状をしており、また、上段食器かご用段部２９は、図３に示すように、上段摺動支持部材３４の下部から側方に前方から後方までのびる案内部３６を下から支持する略水平面をなす第１の段押し３７と、案内部３６を上方から支持する略水平面をなす第２の段押し３８とで構成している。
【００２３】
また、第１の段押し３７と第２の段押し３８の間は、案内部３６の水平方向への移動を規制する略鉛直面をなす水平規制面３９を形成している。また、上段摺動支持部材３４と第２の段押し３８の水平面と、水平規制面３９には摺動に十分で、がたつきの少ない最低限のクリアランスを設けている。
【００２４】
また、ストッパー３５は、上部を上面構成部材１８の下面に近接しており、上段摺動支持部材３４の略後端に設けている。
【００２５】
上記構成において作用を説明すると、ステンレス鋼からなる洗浄槽部材１７に、プレス加工により上段食器かご用段部２９を一体的に設けているため、ステンレス鋼の清潔さを保ちつつ、複数個設けた食器かごの上段食器かご（最上段の食器かご）２７を保持しつつ、上段摺動支持部材３４に設けたストッパー３５が上面構成部材１８に設けた第２の係止部３３により上段食器かご２７の引き出し量を容易に規制することができる。また、第２の係止部３３は樹脂製の上面構成部材１８の下面にリブ状に容易に形成することができる。
【００２６】
また、上段食器かご用段部２９が案内部３６を第１の段押し３７と第２の段押し３８の水平面で上下方向から挟みこむ構成としているため、洗浄槽１５への出し入れの際にがたつきが少なく、上段食器かご２７をストッパー３５により第２の係止部３３に係止するまで引き出した状態で、ストッパー３５の上部が上面構成部材１８の下面に当接することで、プレス加工により形成された上段食器かご用段部２９が支持できる範囲に上段食器かご２７の引き出し量を規制するのと同時に、上段摺動支持部材３４の前方が、上段食器かご用段部２９の不完全支持部に沿って下方へ外れ落下するのを防止することができる。
【００２７】
また、上段摺動支持部材３４は上段食器かご２７の側方に設けてあるため、一体的に形成されたストッパー３５が食器類２５を収容する際にじゃまにならない。
【００２８】
このように本実施例によれば、上段食器かご（最上段の食器かご）２７を洗浄槽部材１７に一体的に形成した上段食器かご用段部２９によって支持し、洗浄槽内より引き出し可能とするとともに、上面構成部材１８には、上段食器かご２７の引き出し量を規制する第２の係止部３３を設けたので、ステンレス鋼の清潔さを保ちつつ、複数個設けた食器かごの上段食器かご２７の保持と、引き出し量の規制、外れ防止をより安価に構成することができる。
【００２９】
また、上面構成部材１８に第２の係止部３３を設け、この第２の係止部３３に上段食器かご２７に設けた上段摺動支持部材３４が係止することで、上段食器かご２７の引き出し量を規制するようにしたので、別部品を用いることなく、上段摺動支持部材３４と第２の係止部３３の位置関係を合わせ易いため、引き出し量を容易に規制することができる。
【００３０】
なお、本実施例では、上段食器かご２７の側面に設けた上段摺動支持部材３４の後方上部に設けたストッパー３５が第２の係止部３３に係止することにより上段食器かご２７の引き出し量を規制しているが、上段食器かご２７の一部を第２の係止部３３に当接するようにしてもよく、同様の効果を得ることができる。
【００３１】
【発明の効果】
以上のように本発明の請求項１に記載の発明によれば、食器かごの内、少なくとも最上段の食器かごを洗浄槽部材に一体的に形成した段部によって支持し、洗浄槽内より引き出し可能とするとともに、上面構成部材には、最上段の食器かごの引き出し量を規制する係止部を設けたから、ステンレス鋼の清潔さを保ちつつ、複数個設けた食器かごの少なくとも最上段の食器かごの保持と、引き出し量の規制、外れ防止をより安価に構成することができる。
【図面の簡単な説明】
【図１】本発明の一実施例の食器洗い機の食器かごを収納した状態の縦断面図
【図２】同食器洗い機の食器かごを引き出した状態の縦断面図
【図３】同食器洗い機の要部拡大側断面図
【図４】従来の食器洗い機の食器かごを収納した状態の縦断面図
【図５】同食器洗い機の食器かごを引き出した状態の縦断面図
【符号の説明】
１５    洗浄槽
１７  洗浄槽部材
１８  上面構成部材
１９  底部構成部材
２７  上段食器かご（最上段の食器かご）
２９  上段食器かご用段部（段部）
３３  第２の係止部（係止部）
【図１】
2004305297.tif 000003
【図２】
2004305297.tif 000004
【図３】
2004305297.tif 000005
【図４】
2004305297.tif 000006
【図５】
2004305297.tif 000007